(57)【要約】      （修正有）【課題】手触り及び保温性に優れた２種の起毛生地を組み合わせて構成された袋であって、飼い主は自身の愛玩動物における体温を保温しつつ愛玩動物と、飼い主と、のコミュニケーション及びスキンシップを向上させることが可能な愛玩動物用毛布袋を提供する。【解決手段】保温性を有する毛布生地で構成された袋本体部３と、外部及び前記袋本体部３の袋内部６を連通させる愛玩動物入口部５と、前記袋本体部３の袋表面部８及び前記袋内部６の間に設けられた２つの手入口部１０を有する手挿入部と、から構成される。【選択図】図１
0003205215.tif 000002
【実用新案登録請求の範囲】
【請求項１】
保温性を有する毛布生地で構成された袋本体部と、
外部及び前記袋本体部の袋内部を連通させる愛玩動物入口部と、
前記袋本体部の袋表面部と前記袋内部との間に設けられた２つの手入口部を有する手挿入部と、から構成されること、
を特徴とする愛玩動物用毛布袋。
【請求項２】
前記袋本体部における前記袋表面部が短い起毛を有する毛布生地で構成され、前記袋本体部における前記袋内部及び前記手挿入部が長い起毛を有する毛布生地で構成されること、
を特徴とする請求項１に記載の愛玩動物用毛布袋。
【請求項３】
前記愛玩動物入口部において、前記袋内部の毛布生地が前記袋本体部の前記袋表面部に折り返して縫製されること、
を特徴とする請求項１又は２に記載の愛玩動物用毛布袋。
【考案の詳細な説明】
【技術分野】
【０００１】
本考案は、愛玩動物の体温を保持しつつ愛玩動物と、飼い主と、のコミュニケーション及びスキンシップを向上させることができる愛玩動物用毛布袋に関する。
【背景技術】
【０００２】
近年、愛玩動物の飼育数は常に上昇傾向にあり、現在国内においては子供の数よりも飼育されている愛玩動物の数の方が多い。飼い主は当該愛玩動物を単なるペットとしてではなく、深い愛情を注ぎつつ寝食を共にし、生活の伴侶として大切に飼育されるケースも少なくない。
【０００３】
このような状況のなか、愛玩動物の増加に伴って当該愛玩動物を対象とした製品市場も拡大傾向にあり、愛玩動物用衣類や生活雑貨等の開発及び販売を行う企業は、種々の愛玩動物用製品を飼い主及び愛玩動物に提供している。
【０００４】
なかでも、愛玩動物の体温の冷却及び保持を目的とした製品は需要が高く、気温の高い地域で発祥した外来種等の愛玩動物には非常に重宝されている（例えば特許文献１参照）。とりわけ、ブランケットの様な愛玩動物用毛布は、愛玩動物に羽織らせる又は敷物として使用する等して簡便に使用でき、飼い主は愛玩動物の体温を保温することができる。
【先行技術文献】
【特許文献】
【０００５】
【特許文献１】特開２０１２−１５７２５６号公報
【考案の概要】
【考案が解決しようとする課題】
【０００６】
しかしながら、上記のような従来の愛玩動物用毛布では、愛玩動物を足元まで覆うことが難しく愛玩動物の体温を保持することが困難であった。また、飼い主が愛玩動物を抱き上げる際に当該愛玩動物が羽織った愛玩動物用毛布がはだけて脱落する恐れもあり、飼い主が愛玩動物の体温を保持しつつ、抱擁及びスキンシップを十分に取ることができなかった。
【０００７】
そこで、本考案は、上記問題に鑑みて創作されたものであり、手触り及び保温性に優れた２種の起毛生地を組み合わせて構成された袋であって、飼い主は自身の愛玩動物の体温を保持しつつ愛玩動物と、飼い主と、のコミュニケーション及びスキンシップを向上させることが可能な愛玩動物用毛布袋１を提供する。
【課題を解決するための手段】
【０００８】
上記の課題を解決すべく、本考案は、
保温性を有する毛布生地で構成された袋本体部３と、
外部及び前記袋本体部３の袋内部６を連通させる愛玩動物入口部５と、
前記袋本体部３の袋表面部８と前記袋内部６との間に設けられた２つの手入口部１０を有する手挿入部９と、から構成されること、
を特徴とする愛玩動物用毛布袋１を提供する。
【０００９】
このような構成を有する本考案の愛玩動物用毛布袋１は、愛玩動物の体温を保持するための毛布生地が袋状の袋本体部３を形成しており、当該袋本体部３の袋内部６に愛玩動物が入ることで効果的に体温を保持することができる。また、２つの手入口部１０を通じて外部と連通するトンネル状の手挿入部９が、袋本体部３の袋表面部８と、袋内部６と、の間に設けられており、飼い主は２つの手入口部１０から両手又はどちらか一方の手入口部１０から片手を手挿入部９へ挿入することができる。これにより、飼い主は愛玩動物の体温を保持しつつ、間接的に当該愛玩動物とのコミュニケーション及びスキンシップを行うことが可能となる。
【００１０】
また、上記のような構成を有する本考案の愛玩動物用毛布袋１は、
本体部３における前記袋内部６及び前記手挿入部９が長い起毛を有する毛布生地で構成されること、が好ましい。
【００１１】
本考案の愛玩動物用毛布袋１は、袋本体部３の袋表面部８と、袋内部６と、において、想定される被接触物に適した毛布生地を用いて構成されている。袋表面部３は、人体又はその他室内の構造物及び家具等に接触するため、良好な手触りと、起毛の絡みつき及び起毛の抜け落ちの防止と、を可能とする短い起毛を有する毛布生地で構成されることが好ましい。また、袋内部６は、愛玩動物に接触するため、より高い保温性と、適度なクッション性と、を兼ね備える長い起毛を有する毛布生地で構成されていることが好ましい。
【００１２】
また、上記のような構成を有する本考案の愛玩動物用毛布袋１においては、
前記愛玩動物入口部５において、前記袋内部６の毛布生地が前記袋本体部３の前記袋表面部８に折り返して縫製されていること、が好ましい。
【００１３】
更に、上記のような構成を有する本考案の愛玩動物用毛布袋１においては、
前記手入口部１０において、前記手挿入部９の毛布生地が前記袋本体部３の前記袋表面部８に折り返して縫製されていることが好ましい。
【００１４】
愛玩動物入口部５及び手入口部１０は、外部から容易に愛玩動物又は飼い主の手を挿入可能となるように、袋内部６及び手挿入部９の毛布生地が袋表面部８側に折り返して縫製されていることが好ましい。また、愛玩動物入口部５においては、愛玩動物が袋内部６に体を入れ、上半身又は頭部のみを外部に放出した状態においても、袋表面部８側に掛けた前足又は顎等が袋内部６の長い起毛生地に接触して体温の放出を抑制することができる。
【図面の簡単な説明】
【００１５】
【図１】本考案の一実施形態に係る愛玩動物用毛布袋１の外観を示した模式図である。
【図２】図１に示す愛玩動物用毛布袋１を平置きし、上から見下ろした模式図である。
【図３】図２に示す愛玩動物用毛布袋１に部分的な断面視を加えた模式図である。
【図４】図１〜３に示す本愛玩動物用毛布袋１における手挿入部９及び小口切り返し部１１を説明する図であり、図２のＡ−Ａに従って矢視した断面図である。
【考案を実施するための形態】
【００１６】
以下、本考案の愛玩動物用毛布袋１に係る代表的な実施形態を、図１〜図４を参照しながら詳細に説明するが、本考案は図示されるものに限られないことはいうまでもない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１７】
図１〜図３を用いて本実施形態の愛玩動物用毛布袋１の詳細について説明する。図１は、本実施形態の愛玩動物用毛布袋１の外観を示した模式図であり、図２は、本考案の愛玩動物用毛布袋１を平置きし、上から見下ろした模式図であり、図３は、図２に部分的な断面視を加えた模式図である。
【００１８】
愛玩動物用毛布袋１は、主として犬（超小型〜小型犬）、猫、小動物（ウサギやフェレット等）等の愛玩動物のためのグッズである。飼い主は自身の愛玩動物に愛玩動物用毛布袋１を用いることによって、愛玩動物における体温を保温しつつ愛玩動物と、飼い主と、のコミュニケーション及びスキンシップを向上させる。
【００１９】
図１〜図４に示すとおり、本実施形態の愛玩動物用毛布袋１は、概ね袋状となる袋本体部３と、袋本体部３における愛玩動物の出入り口となる愛玩動物入口部５と、該愛玩動物入口部５において袋内部６から袋本体部３の袋表面部８に折り返して縫製された大口切り返し部７と、袋本体部３の袋表面部８に設けられ飼い主が両手を挿入可能な手挿入部９と、該手挿入部９に手を挿入するための手入口部１０と、該手入口部１０において手挿入部９から袋本体部３の袋表面部８に折り返して縫製された小口切り返し部１１と、から構成されている。
【００２０】
袋本体部３は、保温性に優れた２種類の起毛生地で構成された袋である。当該袋本体部３の袋表面部８は、一般的なフリース生地等の比較的短い起毛を有する生地で構成され、袋内部６は、ボア生地等の長い起毛を有する生地で構成されている。
【００２１】
短い起毛を有する生地で構成された袋表面部８は、体温を保持（保温）しつつ良好な手触りを提供し、起毛が他に絡みつく等の干渉を起こしにくい。また、愛玩動物に直接接触する長い起毛を有する生地で構成された袋内部６は、より高い保温性を有し、更に適度なクッション性も兼ね備えることから、愛玩動物に心地良い安心感を提供する。
【００２２】
愛玩動物入口部５は、本実施形態の愛玩動物用毛布袋１における外部から袋内部６への出入り口であって、愛玩動物は当該愛玩動物入口部５から袋内部６へ進入又は退出することができる。
【００２３】
また、愛玩動物入口部５はジッパー又は衣服用ボタン等を用いた開閉機構が省略されており、袋内部６の生地が袋表面部８における一定の範囲に折り返して縫製された大口切り返し部７を有している。該大口切り返し部７は、袋内部６と同じ長い起毛を有する生地で構成されている。
【００２４】
このため、本実施形態の愛玩動物用毛布袋１を使用する愛玩動物は、袋内部６に体を入れ、上半身又は頭部のみを外部に放出した状態においても、袋表面部８側に掛けた前足又は顎等が大口切り返し部７の長い起毛生地に接触して体温の放出を抑制することができるものである。
【００２５】
袋内部６は、愛玩動物の滞在性を向上させるため、愛玩動物入口部５から底部まで概ね拡幅及び狭幅がなく、使用される生地においても全て統一されている。
【００２６】
次に、図４を用いて図１〜図３の手挿入部９及び小口切り返し部１１における詳細について説明する。図４は、本実施形態の愛玩動物用毛布袋１における手挿入部９及び小口切り返し部１１を説明する図であり、図２のＡ−Ａに従って矢視した断面図である。
【００２７】
手挿入部９は、袋内部６と同じボア生地等の長い起毛を有する生地で構成されており、袋本体部３における袋表面部８と、袋内部６と、の間に設けられている。当該手挿入部９は後術する２つの手入口部１０を有し、該２つの手入口部１０を結ぶトンネル状の長穴形状となっている。また、手挿入部９は独立した穴であり、袋内部６と繋がるものではない。
【００２８】
手入口部１０は、外部から手挿入部９に通じる２つの穴であって、飼い主は当該２つの手入口部１０から両手又はどちらか一方の手入口部１０から片手を手挿入部９へ挿入し、手を保温しつつ間接的に愛玩動物とスキンシップを取ることができる。
【００２９】
また、２つの手入口部１０はジッパー又は衣服用ボタン等を用いた開閉機構が省略されており、手挿入部９の生地が袋表面部８における一定の範囲に折り返して縫製された小口切り返し部１１を有している。該小口切り返し部１１は、手挿入部９と同じ長い起毛を有する生地で構成されている。
【００３０】
続いて、本実施形態の愛玩動物用毛布袋１の具体的な使用方法について説明する。
【００３１】
まず、飼い主は愛玩動物用毛布袋１を用意した後、袋表面部８が外部に面し、袋内部６に愛玩動物を入れることが可能な状態であることを確認する。次に、愛玩動物入口部５を広げつつ上向きに位置させた状態で床等の安定した比較的フラットな面に設置する。
【００３２】
続いて、飼い主は愛玩動物を抱え上げ、該愛玩動物の下半身、具体的には後ろ足を愛玩動物入口部５から袋内部６に入れた後、愛玩動物入口部５を徐々に持ち上げて愛玩動物の体全体を袋内部６に納める。
【００３３】
愛玩動物の呼吸を妨げる恐れがあるため、愛玩動物の頭部が愛玩動物入口部５から外部に露出していることが好ましく、愛玩動物の頭部が袋内部６に納まった状態である場合には愛玩動物入口部５が閉じることのないように、開放状態を保つことが望ましい。
【００３４】
次に、飼い主は愛玩動物が袋内部６から飛び出すことのない様に注意しながら、座った状態で愛玩動物用毛布袋１ごと愛玩動物を抱き抱え、自身の大腿部上部や大腿部と、腹部と、の間の上部に置く。
【００３５】
愛玩動物用毛布１と、該愛玩動物用毛布１に入った愛玩動物と、が落ち着いた状態であることを確認した後、２つの手入口部１０から両手又はどちらか一方の手入口部１０から片手を手挿入部９へ挿入し、間接的に愛玩動物を抱擁及びスキンシップを行う。
【００３６】
本考案の愛玩動物用毛布袋１は、愛玩動物における体温の保持だけではなく、該愛玩動物と、飼い主と、のコミュニケーション及びスキンシップ増加にも効果をもたらすものであり、飼い主と、愛玩動物と、のより良い関係構築期待できる。
【００３７】
以上、本考案の実施形態について図面を参照しつつ説明してきたが、本考案は、これらの実施形態に限定されるものではなく、特許請求の範囲の記載の精神及び教示を逸脱しない範囲でその他の改良例、変形が存在することを当業者に容易に理解されるであろう。
【産業上の利用可能性】
【００３８】
本考案の愛玩動物用毛布袋１は、手触り及び保温性に優れた２種の起毛生地を組み合わせて構成された袋であって、飼い主は自身の愛玩動物における体温を保持しつつ愛玩動物と、飼い主と、のコミュニケーション及びスキンシップを向上させるものである。
【符号の説明】
【００３９】
１      愛玩動物用毛布袋
３      袋本体部
５      愛玩動物入口部
６      袋内部
７      大口切返し部
８      袋表面部
９      手挿入部
１０    手入口部  
１１    小口切返し部
【図１】
0003205215.tif 000003
【図２】
0003205215.tif 000004
【図３】
0003205215.tif 000005
【図４】
0003205215.tif 000006